(57)【要約】      （修正有）【課題】内容物が理解できるとともに、種々の商品を取り扱うことができる自動販売機を提供する。【解決手段】自動販売機は、商品２が収納された収納容器３の見本を展示する展示領域と、見本に対応した商品が収納された収納容器３を格納する格納領域と、収納容器３を取り出す取り出し口とを備える。収納容器３は、上面３１と、下面３２と、上面３１及び下面３２の間に位置する側面３３とを有する。収納容器３の側面３３には透過部３５が設けられ、中空領域３４に収納された商品２の少なくとも一部が収納容器３の外側から視認できるようにしている。このように透過部３５を設けることによって、収納容器３の中に入っている商品２がどういうものなのかを視覚的に確認することができる。【選択図】図２
0003226947.tif 000002
【実用新案登録請求の範囲】
【請求項１】
収納容器に収納した土産品等の商品を販売するための自動販売機であって、
前記商品が収納された前記収納容器の見本を展示する展示領域と、前記見本に対応した商品が収納された前記収納容器を格納する格納領域とを備え、
前記収納容器は、上面と、下面と、前記上面及び前記下面の間に位置する側面と、これら上面、下面、及び側面によって画定された中空領域と、前記側面に設けられた透過部と、を備え、
前記透過部から前記中空領域に収納された商品の少なくとも一部を視認できることを特徴とする自動販売機。
【請求項２】
前記収納容器は、前記側面が円筒形であることを特徴とする請求項１記載の自動販売機。
【考案の詳細な説明】
【技術分野】
【０００１】
この考案は、自動販売機に関し、より詳細には、種々の土産品を販売することができる自動販売機に関する。
【背景技術】
【０００２】
一般的に自動販売機で扱われる商品として、ジュース等の飲み物がよく知られている。特許文献１では飲み物以外の商品として、酒のつまみを販売する自動販売機が開示される。自動販売機で酒等の飲み物だけでなく、つまみも販売することによって、購入者にとって利便性がよい。
【先行技術文献】
【特許文献】
【０００３】
【特許文献１】特開２００１−１３０５５９
【考案の概要】
【考案が解決しようとする課題】
【０００４】
しかしながら、特許文献１によれば、つまみを入れる容器は缶であり、その内容物が見えず、どのようなつまみが入っているのかを視覚的に確認できないないという問題がある。例えば、商品として地元ではよく知られているが、他の地域ではあまり知られていないような食品や、見た目が特徴的な物品などを販売する場合、その内容物が見えないことによって購買意欲が喪失してしまう可能性がある。
【０００５】
この考案では、内容物が理解できるとともに、種々の商品を取り扱うことができる自動販売機を提供することを課題とする。
【課題を解決するための手段】
【０００６】
この考案は、収納容器に収納した土産品等の商品を販売するための自動販売機であって、前記商品が収納された前記収納容器の見本を展示する展示領域と、前記見本に対応した商品が収納された前記収納容器を格納する格納領域とを備え、前記収納容器は、上面と、下面と、前記上面及び前記下面の間に位置する側面と、これら上面、下面、及び側面によって画定された中空領域と、前記側面に設けられた透過部と、を備え、前記透過部から前記中空領域に収納された商品の少なくとも一部を視認できることを特徴とする。
商品を収納する収納容器に透過部を設けることによって、透過部を介して商品を確認することができ、購買意欲の向上に貢献することができる。
【０００７】
前記収納容器は、前記側面が円筒形であることを特徴とする。
このような形状にすることによって、既存の自動販売機を転用することができる。
【考案の効果】
【０００８】
この考案の自動販売機によれば、商品を収納する収納容器に透過部を設け、商品の少なくとも一部を視認できるようにしたので、どのような商品が入っているのかを理解しやすい。
【図面の簡単な説明】
【０００９】
【図１】自動販売機の正面図
【図２】収納容器の斜視図
【考案を実施するための形態】
【００１０】
この実施形態に係る自動販売機１は、複数種類の土産品等の商品２を販売するのに適している。図１を参照すれば、自動販売機１は、商品２が収納された収納容器３の見本を展示する展示領域１１と、見本に対応した商品が収納された収納容器３を格納する格納領域１２と、収納容器３を取り出す取り出し口１３とを備える。この実施形態では展示領域１１に陳列された見本の収納容器３の下にはそれぞれに対応するボタン１４が配置されており、このボタン１４を押下することによって、対応する収納容器３が格納領域１２から取り出し口１３へと運搬される。したがって、購入者は希望の商品２が入った収納容器３を購入することができる。
【００１１】
図２を参照すれば、収納容器３は、上面３１と、下面３２と、上面３１及び下面３２の間に位置する側面３３とを有する。この実施形態において、収納容器３は、下面３２及び側面３３を構成する容器本体３ａと、上面３１及び側面３３の一部を共有する蓋３ｂとからなる。容器本体３ａに蓋３ｂをすることによって、その内部に中空領域３４が画定される。すなわち、上面３１、下面３２、及び側面３３によって、中空領域３４が画定される。この中空領域３４に種々の商品２を収納することができる。
【００１２】
上記のような収納容器３の側面３３には透過部３５が設けられ、中空領域３４に収納された商品２の少なくとも一部が収納容器３の外側から視認できるようにしている。このように透過部３５を設けることによって、収納容器３の中に入っている商品２がどういうものなのかを視覚的に確認することができる。例えば、地元ではよく知られているが、他の地域ではあまり知られていないような食べ物や、その土地特有の色や形をした食べ物などを商品２として販売する場合に、購買促進効果を奏することが期待される。また、民芸品などを土産として販売する場合にも、その形状や模様を確認できる。
【００１３】
この実施形態において、収納容器３の容器本体３ａ及び蓋３ｂは、透明なプラスチックにより形成され、容器本体３ａの下面３２側に不透過部３６が設けられる。不透過部３６は、紙製の帯を側面３３の内側に配置することによって形成することもできるし、側面３３に直接印刷することによって形成することもできる。このように不透過部３６を設けることによって、商品の説明や商品の販売元等を表示することができる。
透過部３５は、収納容器３の上部に配置しているが、これに限定されるものではなく、収容容器３の下部又は中央部に配置されていてもよい。
【００１４】
この実施形態において、側面３３は円筒形であり、収納容器３全体としては中空円柱形としている。側面３３は、環状を有していればよく、多角形であってもよい。
側面３３を円筒形とした場合、収納容器３は、直径約６ｃｍ、高さ約２０ｃｍの円筒形、又は、直径約６ｃｍ、高さ約１４ｃｍの円筒径であることが好ましい。このサイズにすることによって、一般的な缶飲料やペットボトル飲料の自動販売機を転用することができる。なお、缶飲料やペットボトル飲料は、その重心を滑らかに変化させながら移動可能なので、引っ掛からずに格納領域１２から取り出し口１３に移動することができる。しかし、商品２を収納容器３に収納した場合、重心が滑らかに変化せず、格納領域１２から取り出し口１３の間の通路で引っ掛かりやすい。しかし、上記のサイズにすることによって、引っ掛からずにかつ、一般的な自動販売機を転用することができる。
【００１５】
上記のような収納容器３に各地の特産物や民芸品等を入れることによって、土産品を自動販売機で購入することができる。したがって、土産売り場が設置されていない宿泊施設等であっても、この自動販売機を設置するだけで宿泊客はいつでも土産品を購入することができる。また、売店等で土産品を購入する時間がないような場合であっても、気軽に購入することができる。
【００１６】
この実施形態において、収納容器３の材質、形状、寸法は、一実施例を挙げたにすぎず、この分野において通常用いられる材質を用いることができ、種々の形状及び寸法とすることができる。また、自動販売機１の形態についても、この実施形態に記載のものに限定されるものではない。
【符号の説明】
【００１７】
１    自動販売機
２    商品
３    収納容器
３ａ    容器本体
３ｂ    蓋
１１    展示領域
１２    格納領域
１３    取り出し口
１４    ボタン
３１    上面
３２    下面
３３    側面
３４    中空領域
３５    透過部
３６    不透過部
【図１】
0003226947.tif 000003
【図２】
0003226947.tif 000004